(57)【要約】【課題】様々な種類の固定具を適用することができ、上下方向の向き等を適宜入れ替えることにより、敷設対象面において存在する諸条件に対し柔軟に対応することができる、極めて汎用性の高いデッキ材を提供する。【解決手段】表面２、裏面３、左側部４、右側部５、及び、端面６によって構成され、長手方向について断面形状が一定となる長尺のデッキ材１において、左側部４、右側部５のそれぞれに、長手方向に延在する第１の凹溝８と第２の凹溝９が上下に並列して形成され、左側部４（右側部５）を構成する側面４ａ，４ｂ（５ａ，５ｂ）のうち、第２の凹溝９が形成されている側面４ｂ（５ｂ）が、第１の凹溝８が形成されている側面４ａ（５ａ）よりも外側へ少なくとも３ｍｍ以上張り出した位置にある。【選択図】図２
2010116712.tif 000002
【特許請求の範囲】
【請求項１】
表面、裏面、二つの側部、及び、端面によって構成され、長手方向について断面形状が一定となる長尺のデッキ材において、
前記側部のそれぞれには、長手方向に延在する第１の凹溝と第２の凹溝が上下に並列して形成され、
前記側部を構成する側面のうち、前記第２の凹溝が形成されている側面が、前記第１の凹溝が形成されている側面よりも外側へ少なくとも３ｍｍ以上張り出した位置にあることを特徴とするデッキ材。
【請求項２】
前記二つの側部が、左右方向について鏡映対称的な形状となっていることを特徴とする、請求項１に記載のデッキ材。
【請求項３】
前記第１の凹溝、及び、第２の凹溝が、入口付近の領域と、その領域の更に内部側において上下方向へ延長された領域とからなり、それらの領域の境界において、上顎部及び／又は下顎部が形成されていることを特徴とする、請求項１又は請求項２に記載のデッキ材。
【請求項４】
前記表面から前記第１の凹溝の天面までの高さ寸法と、前記裏面から前記第２の凹溝の底面までの高さ寸法が一致しており、前記第１の凹溝の高さ位置と、天地を入れ替えた場合における前記第２の凹溝の高さ位置とが一致するように構成されていることを特徴とする、請求項１〜３のいずれかに記載のデッキ材。
【発明の詳細な説明】
【技術分野】
【０００１】
本発明は、建築物のテラスやバルコニーなどに配設されるデッキ材に関し、特に、建築廃材などの木粉とプラスチックとの混合材を原料として成形されるデッキ材に関する。
【背景技術】
【０００２】
テラスやバルコニーなどの床面（敷設対象面）上にデッキ材を配列固定する方法として、従来より様々な方法が知られている。例えば、デッキ材の一方の側部に突条を形成し、反対側の側部には、当該突条と相補的な形状の凹溝を形成し、先に床面上に固定したデッキ材の側部の凹溝内に、その隣に配置するデッキ材の突条を嵌合して両者を接合し、当該デッキ材の反対側の側部を、釘或いは木ネジを用いて床面に固定する、という方法や、様々な種類の固定具（特開２００６−６３７４７号公報に掲載されているような連結金具、或いは、意匠登録第１３０１２６６号公報に掲載されているような床板用連結具等）を用いて、デッキ材を床面上に固定する方法が知られている。
【特許文献１】特開２００７−２９１６０３号公報
【特許文献２】特開２００７−１２６９１７号公報
【特許文献３】特開２００６−３０５９８１号公報
【特許文献４】特開２００６−１９２７４１号公報
【特許文献５】特開２００６−１７７０３６号公報
【特許文献６】特開２００６−０６３７４７号公報
【特許文献７】実用新案登録第３０５０９２０号公報
【特許文献８】意匠登録第１３０１２６６号公報
【発明の開示】
【発明が解決しようとする課題】
【０００３】
しかしながら、一方の側部に突条を形成し、反対側の側部には、当該突条と相補的な形状の凹溝を形成したデッキ材は、右側部と左側部とで形状が異なっているため、床面上に配列する際の向きが必然的に固定されることになり、敷設対象面の寸法や形状が標準的ではなく、デッキ材の幅寸法との関係で半端な寸法が残ってしまうような場合等において、融通が利かず、汎用性が低いという問題がある。
【０００４】
これに対し、特開２００６−６３７４７号公報に掲載されているような連結金具、或いは、意匠登録第１３０１２６６号公報に掲載されているような床板用連結具との組み合わせにおいて使用されるデッキ材は、右側部と左側部とが同一形状となっているため、例えば、敷設対象面の端部において、デッキ材の幅寸法の半分の寸法の空きが生じてしまったような場合、一つのデッキ材を、幅方向中央位置で切断して得られる二つの断片の双方とも、当該空きスペースに対し適用することができる。つまり、右側部と左側部とが同一形状である場合には、その分だけ融通が利き、汎用性が高くなる。
【０００５】
しかしながら、固定具（連結金具、床板用連結具等）を用いて隣接するデッキ材同士を接合しようとすると、両者間に所定の大きさの隙間が形成され、この隙間から固定具が露呈して、美観が損なわれてしまう、というような問題が生じることがある。
【０００６】
本発明は、上記のような問題を解決すべくなされたものであって、様々な種類の固定具を適用することができ、しかも、上下方向の向き或いは左右方向の向きを適宜入れ替えることにより、敷設対象面において存在する諸条件に対し柔軟に対応することができる、極めて汎用性の高いデッキ材を提供することを目的とする。
【課題を解決するための手段】
【０００７】
本発明に係るデッキ材は、表面、裏面、二つの側部（左側部及び右側部）、及び、端面によって構成され、長手方向について断面形状が一定となる長尺のデッキ材において、側部のそれぞれには、長手方向に延在する第１の凹溝と第２の凹溝が上下に並列して形成され、側部を構成する側面のうち、第２の凹溝が形成されている側面が、第１の凹溝が形成されている側面よりも外側へ少なくとも３ｍｍ以上張り出した位置にあることを特徴としている。
【０００８】
尚、二つの側部は、左右方向について鏡映対称的な形状となっていることが好ましく、また、第１の凹溝、及び、第２の凹溝は、入口付近の領域と、その領域の更に内部側において上下方向へ延長された領域とによって構成され、それらの領域の境界において、上顎部及び／又は下顎部が形成されていることが好ましい。
【０００９】
更に、表面から第１の凹溝の天面までの高さ寸法と、裏面から第２の凹溝の底面までの高さ寸法が一致しており、第１の凹溝の高さ位置と、天地を入れ替えた場合における第２の凹溝の高さ位置とが一致するように構成されていることが好ましい。
【発明の効果】
【００１０】
本発明に係るデッキ材は、様々な種類の固定具を適用することができるという効果を期待することができるほか、上下方向の向き或いは左右方向の向きを適宜入れ替えることにより、隣接するデッキ材間に形成される間隙の大きさや形態を変更することができ、これにより、敷設対象面において存在する諸条件に対し柔軟に対応することができるという効果を期待することができる。また、デッキ材間に形成される隙間から固定具が見えてしまうというような外観上の問題（美観の低下）についても、好適に回避することができる。
【発明を実施するための最良の形態】
【００１１】
以下、添付図面に沿って本発明の実施形態について説明する。図１は、本発明に係るデッキ材１の斜視図、図２は、その断面図（長手方向と直交する方向についての断面図）である。このデッキ材１は合成樹脂製で、押出成形によって製造されている。従って、基本的には、図２に示す断面形状は、長手方向について一定である。
【００１２】
図１、及び、図２に示されているように、このデッキ材１は、表面２、裏面３、左側部４、右側部５、端面６等によって構成されている。尚、表面２と裏面３は、全長及び全幅にわたって平行であり、このため、デッキ材１の厚さ寸法は全長及び全幅にわたって均一になっている。また、表面２と裏面３は、品質、性状等において相互に差は無く、図示されている通りの向きで、即ち、表面２が上方へ向かって露出する向きで使用することもできるし、天地を逆転し、裏面３が上方へ向かって露出する向きで使用することもできる。つまり、このデッキ材１においては、機能的な観点から表／裏の別が決まっている訳ではないが、ここでは、説明の便宜上、図１及び図２において上向きの面を「表面２」と呼び、下向きの面を「裏面３」と呼ぶこととする。また、デッキ材１の各構成要素の説明において、表面２が上向きであることを前提として、以下、「表面２に近い方」を「上方」と言い、「裏面３に近い方」を「下方」と言う。
【００１３】
左側部４と右側部５は、左右方向について鏡映対称的な形状となっているが、品質、性状等において相互に差は無く、機能的な観点から右／左の別が決まっている訳ではない。ここでは、説明の便宜上、図１及び図２において左側に示されている側部を「左側部４」と呼び、右側に示されている側部を「右側部５」と呼ぶこととする。
【００１４】
図１及び図２から明らかなように、このデッキ材１の内部には、複数の中空部７が形成されている。また、左側部４と右側部５には、二条の凹溝（第１の凹溝８、及び、第２の凹溝９）がそれぞれ形成されている。本発明に係るデッキ材１は、左側部４、右側部５形成されているこれらの凹溝（第１の凹溝８、及び、第２の凹溝９）、及び、それらの周辺部が、従来技術においては見ることができない特徴的な構造となっており、かかる特徴的な構造により、本発明に係るデッキ材１は、従来技術と比べて有利な効果を期待することができる。以下、この点について詳しく説明する。
【００１５】
図３は、図２に示したデッキ材１の断面図における右側部５の拡大図である。図示されているように、第１の凹溝８は、デッキ材１の厚さ（高さ）方向についての中間線Ｃよりも上方に形成され、第２の凹溝９は、中間線Ｃよりも下方に形成されている。つまり、これらの凹溝は、上下に並列するように形成されている。
【００１６】
第１の凹溝８が形成されている側面５ａと、第２の凹溝９が形成されている側面５ｂはいずれも、表面２、及び、裏面３に対して９０°の角度をもって延在している。つまり、表面２、及び、裏面３と直交する仮想平面上にある。但し、側面５ａと側面５ｂは、同一平面上にある訳ではなく、図３に示されているように、左右方向（横幅方向）に所定量ずれた位置にある。より詳細には、側面５ｂは、側面５ａよりも僅かに（図３に示す寸法差Ｄ分だけ）外側へ張り出した位置にある。尚、この寸法差Ｄは、少なくとも３ｍｍ以上に設定されることが好ましい。
【００１７】
第１の凹溝８は、入口付近の領域（側面５ａから内部へ向かってそれぞれ延在する平行な天面８ａと底面８ｂとの間の領域）と、その領域の奥方、即ち、更に内部側において、上下方向へ延長された領域（天面８ａよりも上方へ抉られた延長天部８ｃと、底面８ｂよりも下方へ抉られた延長底部８ｄとの間の領域）とからなっている。また、天面８ａと延長天部８ｃとの境界には、上顎部８ｅが形成され、底面８ｂと延長底部８ｄとの境界には、下顎部８ｆが形成されている。
【００１８】
第２の凹溝９も、第１の凹溝８と同様に、入口付近の領域（側面５ｂから内部へ向かってそれぞれ延在する平行な天面９ａと底面９ｂとの間の領域）と、その領域の奥方、即ち、更に内部側において、上下方向へ延長された領域（天面９ａよりも上方へ抉られた延長天部９ｃと、底面９ｂよりも下方へ抉られた延長底部９ｄとの間の領域）とからなっている。また、天面９ａと延長天部９ｃとの境界には、上顎部９ｅが形成され、底面９ｂと延長底部９ｄとの境界には、下顎部９ｆが形成されている。
【００１９】
第１の凹溝８の入口付近の領域の高さ寸法Ｈ１（底面８ｂから天面８ａまでの寸法）は、第２の凹溝９の入口付近の領域の高さ寸法Ｈ２（底面９ｂから天面９ａまでの寸法）と一致している。また、表面２から第１の凹溝８の天面８ａまでの高さ寸法Ｈ３は、裏面３から第２の凹溝９の底面９ｂまでの高さ寸法Ｈ４と一致している。
【００２０】
尚、このデッキ材１の左側部４は、前述の通り、右側部５に対し、左右方向について鏡映対称的な形状となっており、右側部５に形成されている第１の凹溝８及び第２の凹溝９と対称的な形状の第１の凹溝８及び第２の凹溝９が形成されている。
【００２１】
本発明に係るデッキ材１は、上記のような構成に係るものであるところ、図４に示すような固定具１０、或いは、図５に示すような固定具２０を用いることにより、根太或いはその他の敷設対象に対して、簡単に、かつ、しっかりと固定するとともに、隣接するデッキ材１同士を好適に接合することができる。
【００２２】
尚、固定具１０は、厚さ０．５〜１ｍｍ程度の金属板を折り曲げてなるものであり、図４に示されているように、水平な基部１１と、一方の長手側縁を基部１１から上方へ垂直に折り曲げて形成した上側係止部１２と、基部１１の一部を部分的に下方へ垂直に折り曲げて形成した下側係止部１３と、上側係止部１２とは反対側の側縁を基部１１から上方へせり上がるように傾斜させた傾斜部１４と、基部１１の中央において、上側係止部１２と下側係止部１３との間に形成されたネジ挿通孔１５とによって構成されている。
【００２３】
また、固定具２０は、図５に示されているように、基部２１と、この基部２１から左右両側方向（水平方向）へそれぞれ所定幅で突出させた第１の押さえ片２２、及び、第２の押さえ片２３と、脚部２４と、基部２１の天端面中央部から脚部２４の底面まで垂直に貫通させたネジ挿通孔２５とによって構成されている。
【００２４】
本発明に係るデッキ材１を、図４に示す固定具１０を用いて敷設対象に対して取り付ける場合、図６に示すように、まず、最初のデッキ材１を敷設対象（例えば、根太３０）の上に載置し、位置決めをし、固定すべき側部（図６の例では右側部５）において露呈している二つの凹溝（第１の凹溝８、及び、第２の凹溝９）のうち、下側の凹溝（図６の例では第２の凹溝９）内に、固定具１０の一部（上側係止部１２、及び、基部１１のうち、下側係止部１３よりも上側係止部１２側の部分）を進入させ、下側係止部１３をデッキ材１の側面５ｂに当接させ、基部１１を第２の凹溝９の底面９ｂ上に載置した状態で、ネジ挿通孔１５（図４参照）から下方斜め４５°の方向へ皿ネジ３１をねじ込み、皿ネジ３１の先端を、デッキ材１の内部から根太３０の内部まで到達させて、デッキ材１を根太３０に対してしっかりと固定する。
【００２５】
このようにすると、固定具１０の傾斜部１４、及び、基部１１のうち、下側係止部１３よりも傾斜部１４側の部分がデッキ材１の側方へ向かって突出した状態となる。この突出状態の基部１１によって、隣接するデッキ材１’の対向する側部を根太３０に対して係止し、隣接するデッキ材１，１’同士を好適に接合することができる。
【００２６】
具体的には、図６に示すように、固定具１０及び皿ネジ３１によって根太３０上に固定したデッキ材１に隣接して配置しようとする他のデッキ材１’を、図２に示す状態から天地を逆にして、つまり、裏面３’を上向きに、表面２’を下向きにして根太３０上に置き、既に固定されているデッキ材１の右側部５に向かってスライドさせていく。
【００２７】
そして、デッキ材１’を、その側面４ａ’が固定具１０の下側係止部１３に当接するまで（図６において破線で示す位置まで）スライドさせると、突出状態の固定具１０の基部１１及び傾斜部１４が、第１の凹溝８’内に進入するとともに、基部１１の突出部分によって、第１の凹溝８’の天面８ａ’が上方から押さえつけられた状態となり、デッキ材１’における上下方向への移動が規制されることになる。その状態で、デッキ材１’の右側部（図示せず）に対して、固定具１０及び皿ネジ３１を用いた同様の固定処置を行うことにより、デッキ材１’における水平方向及び上下方向への移動を規制することができ、デッキ材１’を根太３０に対してしっかりと固定することができ、かつ、隣接するデッキ材１，１’同士を好適に接合することができる。
【００２８】
このように、先に固定したデッキ材１と、後から隣接させて固定するデッキ材１’の天地を入れ替えた場合でも、対向する二つの凹溝（デッキ材１の第２の凹溝９と、デッキ材１’の第１の凹溝８’）に対して一つの固定具１０を適用できるのは、それら二つの凹溝の高さ位置が一致している（図３に示されているように、表面２から第１の凹溝８の天面８ａまでの高さ寸法Ｈ３と、裏面３から第２の凹溝９の底面９ｂまでの高さ寸法Ｈ４とが一致している）からである。
【００２９】
また、上記のような方法、手順でデッキ材１，１’を根太３０上に固定した場合、隣接するデッキ材１，１’間には、図６に示すように、固定具１０の下側係止部１３の厚さ寸法に対応した僅かな間隙が形成されることになるが、図３に示すように、側面５ａと側面５ｂは横幅方向に所定量ずれた位置にあり（側面５ｂは、側面５ａよりも寸法差Ｄ分だけ外側へ張り出した位置にあり）、このため、隣接するデッキ材１，１’間に形成される間隙は、上方と下方とで位置がずれることになる。その結果、デッキ材１，１’の上方から見ると、下方の間隙は死角となり、下方の間隙に配置されている固定具１０も死角に入るため、デッキ材１，１’の上方から見えなくなる。このため、美観が損なわれるという問題を回避することができ、外観性を向上させることができる。
【００３０】
尚、必ずしも、隣接して配置するデッキ材１，１’のいずれか一方の天地を入れ替えなければならない訳ではなく、図７に示すように、隣接配置するデッキ材１，１’の上下の向きを揃えて（いずれのデッキ材１，１’においても、横幅寸法の大きい裏面３，３’側を下向きにして）、根太３０上に配置、固定するようにしてもよい。但し、この場合、デッキ材１，１’間には、図６の場合と比べて大きな間隙が形成されることになるため、図７に示すような断面形状を呈する合成樹脂製の目地材３２を嵌合して、間隙を埋めることが好ましい。
【００３１】
本発明に係るデッキ材１を、図５に示すような固定具２０を用いて敷設対象に対して取り付ける場合、図８に示すように、まず、最初のデッキ材１を敷設対象（根太３０）の上に載置し、位置決めをし、固定すべき側部において露呈している二つの凹溝（第１の凹溝８、及び、第２の凹溝９）のうち、下側の凹溝（図８の例では第２の凹溝９）内に、固定具２０の第１の押さえ片２２を進入させ、脚部２４をデッキ材１の側面５ｂに当接させ、この状態で、ネジ挿通孔２５から鉛直下方向へ皿ネジ３１をねじ込み、皿ネジ３１の先端を、根太３０の内部まで到達させて、デッキ材１を根太３０に対してしっかりと固定する。
【００３２】
このようにすると、固定具２０の第２の押さえ片２３が側方へ向かって突出した状態となる。この突出状態の第２の押さえ片２３によって、隣接するデッキ材１’の対向する側部を根太３０に対して係止し、隣接するデッキ材１，１’同士を好適に接合することができる。
【００３３】
具体的には、図８に示すように、固定具２０及び皿ネジ３１によって根太３０上に固定したデッキ材１に隣接して配置しようとする他のデッキ材１’を、上下の向きを揃えて根太３０上に置き、既に固定されているデッキ材１の右側部５に向かってスライドさせていく。
【００３４】
そして、デッキ材１’を、その側面４ｂ’が固定具２０の脚部２４に当接するまで（図８において破線で示す位置まで）スライドさせると、突出状態の固定具２０の第２の押さえ片２３が、第２の凹溝９’内に進入するとともに、第２の押さえ片２３によって、第２の凹溝９’の底面９ｂ’が上方から押さえつけられた状態となり、デッキ材１’における上下方向への移動が規制されることになる。その状態で、デッキ材１’の右側部（図示せず）に対して、固定具２０及び皿ネジ３１を用いた同様の固定処置を行うことにより、デッキ材１’における水平方向及び上下方向への移動を規制することができ、デッキ材１’を根太３０に対してしっかりと固定することができ、かつ、隣接するデッキ材１，１’同士を好適に接合することができる。
【００３５】
但し、必ずしも、隣接して配置するデッキ材１，１’の上下の向きを揃えなければならない訳ではなく、図９に示すように、隣接配置するデッキ材１，１’の上下の向きを入れ替えて、根太３０上に配置、固定するようにしてもよい。
【００３６】
尚、図８及び図９に示すデッキ材１，１’の間には、図７に示したデッキ材１，１’の間と同様に、大きな間隙が形成されることになるため、図７に示したような断面形状を呈する合成樹脂製の目地材３２を嵌合して、それらの間隙を埋めることが好ましい。
【００３７】
また、図８及び図９の例では、デッキ材１，１’の各凹溝（第１の凹溝８、及び、第２の凹溝９）のうち、それぞれ下側の凹溝内に固定具２０の押さえ片（第１の押さえ片２２、及び、第２の押さえ片２３）を進入させてデッキ材１，１’を根太３０に対して固定しているが、図１０に示すように、脚部２４が長い固定具４０を用いた場合には、デッキ材１，１’の上側の凹溝（図１０の例では、第２の凹溝９，９’）内に固定具４０の押さえ片を進入させて、デッキ材１，１’を根太３０に対して固定することもできる。
【図面の簡単な説明】
【００３８】
【図１】本発明に係るデッキ材１の斜視図。
【図２】本発明に係るデッキ材１の断面図。
【図３】図２に示したデッキ材１の断面図における右側部５の拡大図。
【図４】本発明に係るデッキ材１を固定するための固定具１０の斜視図。
【図５】本発明に係るデッキ材１を固定するための固定具２０の斜視図。
【図６】図４の固定具１０を用いたデッキ材１，１’の固定方法の説明図。
【図７】図４の固定具１０を用いたデッキ材１，１’の固定方法の説明図。
【図８】図５の固定具２０を用いたデッキ材１，１’の固定方法の説明図。
【図９】図５の固定具２０を用いたデッキ材１，１’の固定方法の説明図。
【図１０】固定具４０を用いたデッキ材１，１’の固定方法の説明図。
【符号の説明】
【００３９】
１，１’：デッキ材、
２，２’：表面、
３，３’：裏面、
４：左側部、
４ａ’：側面、
４ｂ’：側面、
５：右側部、
５ａ：側面、
５ｂ：側面、
６：端面、
７：中空部、
８，８’：第１の凹溝、
８ａ，８ａ’：天面、
８ｂ：底面、
８ｃ：延長天部、
８ｄ：延長底部、
８ｅ：上顎部、
８ｆ：下顎部、
９，９’：第２の凹溝、
９ａ：天面、
９ｂ，９ｂ’：底面、
９ｃ：延長天部、
９ｄ：延長底部、
９ｅ：上顎部、
９ｆ：下顎部、
１０：固定具、
１１：基部、
１２：上側係止部、
１３：下側係止部、
１４：傾斜部、
１５：ネジ挿通孔、
２０：固定具、
２１：基部、
２２：第１の押さえ片、
２３：第２の押さえ片、
２４：脚部、
２５：ネジ挿通孔、
３０：根太、
３１：皿ネジ、
３２：目地材、
４０：固定具
【図１】
2010116712.tif 000003
【図２】
2010116712.tif 000004
【図３】
2010116712.tif 000005
【図４】
2010116712.tif 000006
【図５】
2010116712.tif 000007
【図６】
2010116712.tif 000008
【図７】
2010116712.tif 000009
【図８】
2010116712.tif 000010
【図９】
2010116712.tif 000011
【図１０】
2010116712.tif 000012